【手続補正書】
【提出日】平成23年12月9日(2011.12.9)
【手続補正１】
【補正対象書類名】特許請求の範囲
【補正対象項目名】全文
【補正方法】変更
【補正の内容】
【特許請求の範囲】
【請求項１】
プロセス毎に、最終操作時点から最終画面を非表示状態に移行させるまでの時間を管理する管理手段と、
起動されるプロセスに対応する時間を前記管理手段から取得する取得手段と、
前記取得手段により取得された時間を、最終操作時点から最終画面を非表示状態に移行させるまでの時間として設定する設定手段と、
を有することを特徴とする情報処理装置。
【請求項２】
最終操作時点から現時点までの経過時間を計時する計時手段と、
前記計時手段により計時された経過時間が前記設定手段により設定された時間に達した場合、最終画面を非表示状態に移行させる指示を行う指示手段と、
を更に有することを特徴とする請求項１に記載の情報処理装置。
【請求項３】
前記指示手段は、前記設定手段により設定される前記取得手段により取得された全ての時間のうちの何れかが、前記計時手段により計時された経過時間に達した場合、最終画面を非表示状態に移行させる指示を行うことを特徴とする請求項２に記載の情報処理装置。
【請求項４】
前記設定手段は、前記取得手段により取得された時間が複数存在する場合、当該複数の時間のうちの最も短い時間を設定することを特徴とする請求項１又は２に記載の情報処理装置。
【請求項５】
前記取得手段は、新たなプロセスが起動される場合、当該新たなプロセスに対応する時間を前記管理手段から取得することを特徴とする請求項１乃至４の何れか１項に記載の情報処理装置。
【請求項６】
前記管理手段は、更に、画面毎に、最終操作時点から最終画面を非表示状態に移行させるまでの時間を管理し、
前記取得手段は、表示される画面に対応する時間を前記管理手段から取得することを特徴とする請求項１乃至５の何れか１項に記載の情報処理装置。
【請求項７】
前記管理手段は、プロセス、及び当該プロセスにより表示される画面の組み合わせ毎に、最終操作時点から最終画面を非表示状態に移行させるまでの時間を管理し、
前記取得手段は、起動されるプロセス、及び当該プロセスにより表示される画面の組み合わせに対応する時間を前記管理手段から取得することを特徴とする請求項６に記載の情報処理装置。
【請求項８】
前記取得手段は、新たな画面が表示される場合、当該新たな画面に対応する時間を前記管理手段から取得することを特徴とする請求項６又は７に記載の情報処理装置。
【請求項９】
画面毎に、最終操作時点から最終画面を非表示状態に移行させるまでの時間を管理する管理手段と、
表示される画面に対応する時間を前記管理手段から取得する取得手段と、
前記取得手段により取得された時間を、最終操作時点から最終画面を非表示状態に移行させるまでの時間として設定する設定手段と、
を有することを特徴とする情報処理装置。
【請求項１０】
最終操作時点から現時点までの経過時間を計時する計時手段と、
前記計時手段により計時された経過時間が前記設定手段により設定された時間に達した場合、最終画面を非表示状態に移行させる指示を行う指示手段と、
を更に有することを特徴とする請求項９に記載の情報処理装置。
【請求項１１】
前記指示手段は、前記設定手段により設定される前記取得手段により取得された全ての時間のうちの何れかが、前記計時手段により計時された経過時間に達した場合、最終画面を非表示状態に移行させる指示を行うことを特徴とする請求項１０に記載の情報処理装置。
【請求項１２】
前記設定手段は、前記取得手段により取得された時間が複数存在する場合、当該複数の時間のうちの最も短い時間を設定することを特徴とする請求項９又は１０に記載の情報処理装置。
【請求項１３】
前記取得手段は、新たな画面が表示される場合、当該新たな画面に対応する時間を前記管理手段から取得することを特徴とする請求項９乃至１２の何れか１項に記載の情報処理装置。
【請求項１４】
プロセス毎に、最終操作時点から最終画面を非表示状態に移行させるまでの時間を管理手段において管理する管理ステップと、
起動されるプロセスに対応する時間を前記管理手段から取得する取得ステップと、
前記取得ステップにより取得された時間を、最終操作時点から最終画面を非表示状態に移行させるまでの時間として設定する設定ステップとを含むことを特徴とする情報処理方法。
【請求項１５】
画面毎に、最終操作時点から最終画面を非表示状態に移行させるまでの時間を管理手段において管理する管理ステップと、
表示される画面に対応する時間を前記管理手段から取得する取得ステップと、
前記取得ステップにより取得された時間を、最終操作時点から最終画面を非表示状態に移行させるまでの時間として設定する設定ステップとを含むことを特徴とする情報処理方法。
【請求項１６】
プロセス毎に、最終操作時点から最終画面を非表示状態に移行させるまでの時間を管理手段において管理する管理ステップと、
起動されるプロセスに対応する時間を前記管理手段から取得する取得ステップと、
前記取得ステップにより取得された時間を、最終操作時点から最終画面を非表示状態に移行させるまでの時間として設定する設定ステップとをコンピュータに実行させるためのプログラム。
【請求項１７】
画面毎に、最終操作時点から最終画面を非表示状態に移行させるまでの時間を管理手段において管理する管理ステップと、
表示される画面に対応する時間を前記管理手段から取得する取得ステップと、
前記取得ステップにより取得された時間を、最終操作時点から最終画面を非表示状態に移行させるまでの時間として設定する設定ステップとをコンピュータに実行させるためのプログラム。
【手続補正２】
【補正対象書類名】明細書
【補正対象項目名】０００１
【補正方法】変更
【補正の内容】
【０００１】
本発明は、最終操作時点から最終画面を非表示状態に移行させるまでの時間を設定するための技術に関するものである。
【手続補正３】
【補正対象書類名】明細書
【補正対象項目名】０００９
【補正方法】変更
【補正の内容】
【０００９】
本発明の目的は、起動プロセス単位、あるいは表示画面単位毎に最終操作時点から最終画面を非表示状態に移行させるまでの時間を設定することにより、セキュリティの向上を図ることにある。
【手続補正４】
【補正対象書類名】明細書
【補正対象項目名】００１０
【補正方法】変更
【補正の内容】
【００１０】
本発明の情報処理装置は、プロセス毎に、最終操作時点から最終画面を非表示状態に移行させるまでの時間を管理する管理手段と、起動されるプロセスに対応する時間を前記管理手段から取得する取得手段と、前記取得手段により取得された時間を、最終操作時点から最終画面を非表示状態に移行させるまでの時間として設定する設定手段と、を有することを特徴とする。
本発明の情報処理装置は、画面毎に、最終操作時点から最終画面を非表示状態に移行させるまでの時間を管理する管理手段と、表示される画面に対応する時間を前記管理手段から取得する取得手段と、前記取得手段により取得された時間を、最終操作時点から最終画面を非表示状態に移行させるまでの時間として設定する設定手段と、を有することを特徴とする。
本発明の情報処理方法は、プロセス毎に、最終操作時点から最終画面を非表示状態に移行させるまでの時間を管理手段において管理する管理ステップと、起動されるプロセスに対応する時間を前記管理手段から取得する取得ステップと、前記取得ステップにより取得された時間を、最終操作時点から最終画面を非表示状態に移行させるまでの時間として設定する設定ステップとを含むことを特徴とする。
本発明の情報処理方法は、画面毎に、最終操作時点から最終画面を非表示状態に移行させるまでの時間を管理手段において管理する管理ステップと、表示される画面に対応する時間を前記管理手段から取得する取得ステップと、前記取得ステップにより取得された時間を、最終操作時点から最終画面を非表示状態に移行させるまでの時間として設定する設定ステップとを含むことを特徴とする。
本発明のプログラムは、プロセス毎に、最終操作時点から最終画面を非表示状態に移行させるまでの時間を管理手段において管理する管理ステップと、起動されるプロセスに対応する時間を前記管理手段から取得する取得ステップと、前記取得ステップにより取得された時間を、最終操作時点から最終画面を非表示状態に移行させるまでの時間として設定する設定ステップとをコンピュータに実行させることを特徴とする。
本発明のプログラムは、画面毎に、最終操作時点から最終画面を非表示状態に移行させるまでの時間を管理手段において管理する管理ステップと、表示される画面に対応する時間を前記管理手段から取得する取得ステップと、前記取得ステップにより取得された時間を、最終操作時点から最終画面を非表示状態に移行させるまでの時間として設定する設定ステップとをコンピュータに実行させることを特徴とする。
【手続補正５】
【補正対象書類名】明細書
【補正対象項目名】００１１
【補正方法】変更
【補正の内容】
【００１１】
本発明によれば、起動プロセス単位、あるいは表示画面単位毎に最終操作時点から最終画面を非表示状態に移行させるまでの時間を設定することにより、セキュリティを向上させることが可能となる。